(57)【要約】【課題】簡単に体液の状態を知ることができ、また使用者の見間違いによる誤診を防止できる体液状態早見表を提供する。【解決手段】体液状態早見表１０は、体液に含まれる複数の成分毎に用意され、各成分から得られうる色候補Ｃ１〜Ｃ３、Ｃ４〜Ｃ６を示す複数のカラーチャートＣＣ１、ＣＣ２と、各カラーチャートを相対的に移動させることによって、色候補のうち前記成分から実際に得られた色に対応する色を配置するための基準部Ｔと、数値、文字および図形の少なくとも一つの記号列によって、体液の状態を表す状態表示部Ｓと、状態表示部の一部を指して、体液の状態を指示可能な指示部Ａと、を有する。前記記号列および指示部は、基準部に配置された複数の色の組み合わせに対応する体液の状態を指示部が指示するように、複数のカラーチャートの移動にともなって相対的に移動する。【選択図】図２
2015064253.tif 000002
【特許請求の範囲】
【請求項１】
体液に含まれる複数の成分毎に用意され、各成分から得られうる色候補を示す複数のカラーチャートと、
各前記カラーチャートを相対的に移動させることによって、前記色候補のうち前記成分から実際に得られた色に対応する色を配置するための基準部と、
数値、文字および図形の少なくとも一つの記号列によって、前記体液の状態を表す状態表示部と、
前記状態表示部の一部を指して、前記体液の状態を指示可能な指示部と、
を有し、
前記記号列および前記指示部は、前記基準部に配置された複数の色の組み合わせに対応する前記体液の状態を前記指示部が指示するように、複数の前記カラーチャートの移動にともなって相対的に移動する、体液状態早見表。
【請求項２】
前記色候補は、前記各成分から得られうる色を表す複数のカラーパッチからなる請求項１に記載の体液状態早見表。
【請求項３】
前記色候補は、連続的な色のグラデーションとして表される請求項１に記載の体液状態早見表。
【請求項４】
前記基準部は、前記成分から実際に得られた色に対応する色を配置すべき位置を、図形、文字および数字の少なくとも一つにより明示する請求項１〜３のいずれか一項に記載の体液状態早見表。
【請求項５】
前記基準部は、前記成分から実際に得られた色に対応する色を枠内に配置できるように、前記成分から実際に得られた色に対応する色を配置すべき位置に形成された枠状部を有する請求項１〜４のいずれか一項に記載の体液状態早見表。
【請求項６】
前記カラーチャートは、体液に含まれる二つの成分に対応して、二種類用意される請求項１〜５のいずれか一項に記載の体液状態早見表。
【請求項７】
前記カラーチャートは、体液に含まれる三つの成分に対応して、三種類用意される請求項１〜５のいずれか一項に記載の体液状態早見表。
【請求項８】
前記成分から得られる色は、当該成分が試験紙に反応することによって得られる請求項１〜７のいずれか一項に記載の体液状態早見表。
【請求項９】
前記カラーチャートは、周方向に色が変化するように円周状の外周面に設けられ、周方向に回転することによって移動する請求項１〜８のいずれか一項に記載の体液状態早見表。
【請求項１０】
前記カラーチャートは、シート上に設けられ、色候補の色が変化する方向にシートがスライドすることによって移動する請求項１〜８のいずれか一項に記載の体液状態早見表。
【請求項１１】
前記成分から色を得るために当該成分と反応する試験紙を収納する容器に取り付けられている請求項１〜１０のいずれか一項に記載の体液状態早見表。
【発明の詳細な説明】
【技術分野】
【０００１】
本発明は、体液状態早見表に関する。
【背景技術】
【０００２】
体液に含まれる特定の物質の濃度測定において、その物質についての検出結果を、同時に得た他の物質の検出結果によって補正することが少なからずある。尿中の塩分濃度測定における塩分とクレアチニンとの関係等はその典型例である。尿の濃縮度合によって塩分濃度は変わるため、検出された塩分濃度を臨床上意味のある値として使用するためには尿の濃縮度合と相関関係を有するクレアチニンの量によって補正する必要がある。また似たような例として血糖値とヘマトクリット値との関係も挙げられる。ＩＣを内蔵する血糖計等は、検量線を作成しアルゴリズムによる計算を行うことによって、検出結果を使用して正しい補正を行うことができる。一方、尿試験紙のように目視のみによって検出結果が確認される場合、例えば特許文献１のように判定表を用いることによって、臨床上意味のある体液の状態を知ることができる。
【先行技術文献】
【特許文献】
【０００３】
【特許文献１】実用新案登録第２５４９３２９号公報
【発明の概要】
【発明が解決しようとする課題】
【０００４】
しかしながら、判定表を利用する場合、尿試験紙等から得られる検出結果に対応する体液の状態を、複数の体液の状態を示す配列表の中から使用者が目で追って探し出さなければならず、作業が煩雑である。また、使用者の見間違いによる誤診が生じる虞がある。
【０００５】
本発明は、このような課題を解決するためになされたものであり、簡単に体液の状態を知ることができ、また使用者の見間違いによる誤診を防止できる体液状態早見表を提供する。
【課題を解決するための手段】
【０００６】
上記目的を達成するための本発明の体液状態早見表は、体液に含まれる複数の成分毎に用意され、各成分から得られうる色候補を示す複数のカラーチャートと、各前記カラーチャートを相対的に移動させることによって、前記色候補のうち前記成分から実際に得られた色に対応する色を配置するための基準部と、数値、文字および図形の少なくとも一つの記号列によって、前記体液の状態を表す状態表示部と、前記状態表示部の一部を指して、前記体液の状態を指示可能な指示部と、を有する。前記記号列および前記指示部は、前記基準部に配置された複数の色の組み合わせに対応する前記体液の状態を前記指示部が指示するように、複数の前記カラーチャートの移動にともなって相対的に移動する。
【発明の効果】
【０００７】
本発明の体液状態早見表によれば、体液に含まれる成分から得られた色に対応する色を基準部に配置すると、状態表示部と指示部とが相対的に移動し、自ずと指示部が体液の状態を指示する。使用者は、複数の体液の状態を示す配列表から、複数の成分から得られる色と対応する体液の状態を自ら選び出す必要がない。従って、簡単に体液の状態を知ることができ、また使用者の見間違いによる誤診を防止できる。
【０００８】
前記色候補は、各成分から得られうる色を表す複数のカラーパッチからなるようにすれば、色候補の参照が容易なため、使用者は成分から得られる色に近い色を簡単に選択できる。
【０００９】
前記色候補は、連続的な色のグラデーションとして表されるようにすれば、色候補が細かく表示されるため、使用者は成分から得られる色により近い色を選択してより正確な体液の状態を知ることができる。
【００１０】
前記基準部は、前記成分から実際に得られた色に対応する色を配置すべき位置を、図形、文字、および数字の少なくとも一つにより明示するようにすれば、基準部の位置が分かり易いため、使用者は正確に所望の色を基準部に位置合わせできる。
【００１１】
前記基準部は、前記成分から実際に得られた色に対応する色を枠内に配置できるように、前記成分から実際に得られた色に対応する色を配置すべき位置に形成された枠状部を有するようにすれば、所望の色が基準部に配置されたか否か分かり易いため、使用者は正確に所望の色を基準部に位置合わせできる。
【００１２】
前記カラーチャートは、体液に含まれる二つの成分に対応して、二種類用意されるようにすれば、二種類のカラーチャートの各々の相対移動にともなって、指示部が指示する体液の状態が補正されるため、正確な体液の状態を知ることができる。
【００１３】
前記カラーチャートは、体液に含まれる三つの成分に対応して、三種類用意されるようにすれば、三種類のカラーチャートの各々の相対移動にともなって、指示部が指示する体液の状態がより細かく補正されるため、より正確な体液の状態を知ることができる。
【００１４】
前記成分から得られる色は、当該成分が試験紙に反応することによって得られるようにすれば、体液の特定の成分に対応した色が試験紙に現れるため、体液を直接目視しただけでは分かり難い特定の成分についての情報を知ることができる。
【００１５】
前記カラーチャートは、周方向に色が変化するように円周状の外周面に設けられ、周方向に回転するようにすれば、カラーチャートを回転させるだけで色候補と基準部との相対位置が変化するので、簡単に所望の色を基準部に位置合わせできる。
【００１６】
前記カラーチャートは、シート上に設けられ、色候補の色が変化する方向にシートがスライドすることによって移動するようにすれば、カラーチャートをスライドさせるだけで色候補と基準部との相対位置が変化するので、簡単に所望の色を基準部に位置合わせできる。
【００１７】
前記体液状態早見表が、前記成分から色を得るために当該成分と反応する試験紙を収納する容器に取り付けられているようにすれば、試験紙を用いた際にすぐに体液状態早見表を参照できるので、利便性が優れる。
【図面の簡単な説明】
【００１８】
【図１】試験紙とともに示す第１実施形態の体液状態早見表の斜視図である。
【図２】試験紙とともに示す第１実施形態の体液状態早見表の分解斜視図である。
【図３】第１実施形態の体液状態早見表の一使用例における一の操作を示す図である。
【図４】第１実施形態の体液状態早見表の一使用例における他の操作を示す図である。
【図５】第１実施形態の体液状態早見表の他の使用例における一の操作を示す図である。
【図６】第１実施形態の体液状態早見表の他の使用例における他の操作を示す図である。
【図７】第２実施形態の体液状態早見表の斜視図である。
【図８】第２実施形態の体液状態早見表を分解して示す平面図である。
【図９】第２実施形態の体液状態早見表の一使用例における一の操作を示す図である。
【図１０】第２実施形態の体液状態早見表の一使用例における他の操作を示す図である。
【図１１】試験紙とともに示す変形例１の体液状態早見表の斜視図である。
【図１２】試験紙とともに示す変形例１の体液状態早見表の分解斜視図である。
【図１３】変形例１の体液状態早見表の一使用例における一の操作を示す図である。
【図１４】変形例１の体液状態早見表の一使用例における他の操作を示す図である。
【図１５】変形例１の体液状態早見表の一使用例におけるさらに他の操作を示す図である。
【図１６】試験紙とともに示す変形例２の体液状態早見表の斜視図である。
【図１７】試験紙とともに示す変形例２の体液状態早見表の分解斜視図である。
【図１８】変形例２の体液状態早見表の一使用例における一の操作を示す図である。
【図１９】変形例２の体液状態早見表の一使用例における他の操作を示す図である。
【図２０】変形例２の体液状態早見表の一使用例におけるさらに他の操作を示す図である。
【図２１】変形例３の体液状態早見表の平面図である。
【図２２】変形例３の体液状態早見表を分解して示す平面図である。
【図２３】変形例３の体液状態早見表の一使用例における一の操作を示す図である。
【図２４】変形例３の体液状態早見表の一使用例における他の操作を示す図である。
【図２５】変形例３の体液状態早見表の一使用例におけるさらに他の操作を示す図である。
【図２６】体液状態早見表のさらに他の変形例を示す斜視図である。
【図２７】試験紙を収納する容器と一体的に構成された体液状態早見表の斜視図である。
【発明を実施するための形態】
【００１９】
以下、図面を参照して本発明の実施形態およびその変形例を説明する。なお、図面の寸法比率は、説明の都合上、誇張されて実際の比率と異なる。
【００２０】
＜第１実施形態＞
図１に示すように、第１実施形態の体液状態早見表１０は、互いに重なり合う第１部材１１、第２部材１２、第３部材１３、および第４部材１４を有する。体液状態早見表１０は、尿試験紙Ｐ１（試験紙）とともに用いられる。体液状態早見表１０は、尿中の塩分量に基づく危険度を判定する。尿中の塩分量は、例えば腎臓の機能が正常か否か調べる際に参照される。
【００２１】
図２に示すように、第１部材１１は、円盤状の基台１１０と、基台１１０上に設けられた凸部１１１と、を有する。基台１１０の外周面に、三角形の目印である基準部Ｔが設けられている。
【００２２】
第２部材１２は、第１部材１１上に回転自在に取り付けられる回転体１２０と、回転体１２０の外周面に設けられたカラーチャートＣＣ１と、回転体１２０上に設けられた円柱部１２１と、円柱部１２１上に設けられた凸部１２２と、を有する。回転体１２０における第１部材１１と対向する面には、凸部１１１に嵌合する凹部１２３が形成されている。カラーチャートＣＣ１は、互いに異なる色の３つの色候補Ｃ１、Ｃ２、Ｃ３を示す。色候補Ｃ１、Ｃ２、Ｃ３は周方向に並ぶ。
【００２３】
第３部材１３は、第２部材１２上に回転自在に取り付けられる回転体である。第３部材１３の外周面には、カラーチャートＣＣ１とは別の種類のカラーチャートＣＣ２、および第４部材１４の方向を指し示す指示部Ａが設けられている。第３部材１３には、円柱部１２１が貫通する貫通孔１３０が形成されている。カラーチャートＣＣ２は、互いに異なる色の３つの色候補Ｃ４、Ｃ５、Ｃ６を示す。色候補Ｃ４、Ｃ５、Ｃ６は周方向に並ぶ。
【００２４】
第４部材１４は、円盤形状を有する。第４部材１４の外周面には、数値によって尿の状態を表す状態表示部Ｓが設けられている。状態表示部Ｓは、１〜５の整数からなる数列によって尿の状態を表す。状態表示部Ｓの数値が大きいほど、尿中の塩分量が多く危険度が高いことを表す。状態表示部Ｓの数値が小さいほど、尿中の塩分量が少なく危険度が低いことを表す。
【００２５】
第４部材１４における第３部材１３と対向する面に、凸部１２２に嵌合する凹部１４０が形成されている。円柱部１２１が貫通孔１３０に挿通されると、凸部１２２は貫通孔１３０から突出して凹部１４０に嵌合する。第４部材１４は、凸部１２２および円柱部１２１によって第２部材１２と接続する。第４部材１４は、第２部材１２の回転に連動して回転する。
【００２６】
尿試験紙Ｐ１は、長尺な薄板状の基材部Ｐ１０と、基材部Ｐ１０の表面に設けられた検出部Ｐ１１、Ｐ１２と、を有する。尿試験紙Ｐ１は、公知の技術を適用して作製できる。
【００２７】
検出部Ｐ１１は、尿に含まれる塩分（体液に含まれる成分）に反応して変色する。検出部Ｐ１１に現れる色は、尿中の塩分量に応じて異なる。検出部Ｐ１１から得られる色は、カラーチャートＣＣ１の色候補Ｃ１、Ｃ２、Ｃ３と比較される。色候補Ｃ１、Ｃ２、Ｃ３は、尿中の塩分に反応して検出部Ｐ１１に現れうる色を表すカラーパッチである。
【００２８】
検出部Ｐ１２は、尿に含まれるクレアチニン（体液に含まれる成分）に反応して変色する。検出部Ｐ１２に現れる色は、尿中のクレアチニン量に応じて異なる。クレアチニン量は、尿の濃縮度合と相関関係を有し、クレアチニン量によって塩分量を補正することによって、より正確で臨床上意味のある塩分量、ひいては危険度を知ることができる。
【００２９】
検出部Ｐ１２に現れる色は、カラーチャートＣＣ２の色候補Ｃ４、Ｃ５、Ｃ６と比較される。色候補Ｃ４、Ｃ５、Ｃ６は、尿中のクレアチニンに反応して検出部Ｐ１２に現れうる色を表すカラーパッチである。
【００３０】
次に体液状態早見表１０の使用例について述べる。
【００３１】
まず、使用者は、尿試験紙Ｐ１の検出部Ｐ１１、Ｐ１２に尿をつけ、そのときの検出部Ｐ１１、Ｐ１２の色を確認する。
【００３２】
次に、図３に示すように、使用者は、色候補Ｃ１〜Ｃ３のうち、検出部Ｐ１１に現れた色（成分から実際に得られた色）に最も近いもの、ここでは色候補Ｃ１が基準部Ｔに配置されるように、第２部材１２を回転させる。基準部Ｔは、尿試験紙Ｐ１の検出部Ｐ１１またはＰ１２に実際に現れる色に対応する色を配置すべき位置を明示する。第２部材１２の回転に連動して第４部材１４が回転する。
【００３３】
次に、図４に示すように、使用者は、色候補Ｃ４〜Ｃ６のうち、検出部Ｐ１２に現れた色（成分から実際に得られた色）に最も近いもの、ここでは色候補Ｃ４が基準部Ｔに配置されるように、第３部材１３を回転させる。
【００３４】
これらの操作の結果、指示部Ａは、状態表示部Ｓの数値の一部である数字の３を指し、体液の状態を指示する。最終的に指示部Ａが指示するこの体液の状態は、クレアチニン量によって補正された塩分量を反映した体液の状態を表す。使用者は、この結果を読み取ることによって、塩分量の多少、ひいては危険度の大小を正確に知ることができる。
【００３５】
さらに体液状態早見表１０の他の使用例について述べる。
【００３６】
図５に示すように、この例では、尿をつけたときの検出部Ｐ１１の色は先述の例と同じであるが、検出部Ｐ１２の色は先述の例と異なる。使用者は、先述の例と同様の操作によって、色候補Ｃ１を基準部Ｔに位置合わせする。
【００３７】
次に、図６に示すように、使用者は検出部Ｐ１２の色と色候補Ｃ４〜Ｃ６とを比較し、検出部Ｐ１２の色に最も類似する色候補Ｃ６が基準部Ｔに配置されるように、第３部材１３を回転させる。
【００３８】
これらの操作の後、指示部Ａは最終的に数字の５を指す。この値は、先述の値よりも大きい。この結果から、使用者は、尿中の塩分量が多く危険度が高いことを知ることができる。
【００３９】
本実施形態の作用効果を述べる。
【００４０】
体液状態早見表１０によれば、色候補Ｃ１〜Ｃ３、Ｃ４〜Ｃ６のうち、尿試験紙Ｐ１によって得られた色に対応する色を基準部Ｔに配置すると、状態表示部Ｓと指示部Ａとが相対的に移動し、自ずと指示部Ａが体液の状態を指示する。使用者は、従来の判定表のように、複数の体液の状態を示す配列表から、複数の成分から得られる色と対応する体液の状態を自ら選び出す必要がない。従って、簡単に体液の状態を知ることができ、また使用者の見間違いによる誤診を防止できる。
【００４１】
色候補Ｃ１〜Ｃ３、Ｃ４〜Ｃ６は、複数のカラーパッチから構成されているので、参照が容易である。このため、使用者は、尿試験紙Ｐ１によって得られた色に近い色を、色候補Ｃ１〜Ｃ３、Ｃ４〜Ｃ６の中から簡単に選択できる。
【００４２】
基準部Ｔは、尿試験紙Ｐ１によって得られた色に対応する色を配置すべき位置を、三角形の目印によって明示しているので、基準部Ｔの位置が分かり易い。このため、使用者は色候補Ｃ１〜Ｃ３、Ｃ４〜Ｃ６のうちの所望の色を正確に基準部Ｔに位置合わせできる。
【００４３】
本実施形態では、尿に含まれる塩分およびクレアチニンに対応して二種類のカラーチャートＣＣ１、ＣＣ２が用意されており、二種類のカラーチャートＣＣ１、ＣＣ２の各々の相対移動にともなって、指示部Ａが指示する体液の状態が補正される。従って、使用者は、正確な体液の状態を知ることができる。
【００４４】
本実施形態では、尿試験紙Ｐ１によって、尿中の塩分およびクレアチニンの各々に対応した色が得られるようにしているので、尿を直接目視しただけでは分かり難いそれらの成分についての濃度に関する情報を知ることができる。
【００４５】
カラーチャートＣＣ１、ＣＣ２は、周方向に色が変化するように円周状の外周面に設けられ、周方向に回転する。このため、カラーチャートＣＣ１、ＣＣ２を回転させるだけで色候補Ｃ１〜Ｃ３、Ｃ４〜Ｃ６と基準部Ｔとの相対位置が変化し、簡単に所望の色を基準部Ｔに位置合わせできる。
【００４６】
＜第２実施形態＞
図７に示すように、第２実施形態の体液状態早見表２０は、スライドすることによって移動する長尺状のシート２１、２２と、シート２１、２２が挿入される薄板状の本体部２３と、を有する。体液状態早見表２０は、第１実施形態と同じ尿試験紙Ｐ１とともに用いられる。体液状態早見表２０は、尿中の塩分量に基づく危険度を判定する。
【００４７】
図８に示すように、シート２１の一方の面には、第１実施形態と同様のカラーチャートＣＣ１が設けられている。また、シート２１の同じ面には、第１実施形態と同様の指示部Ａが設けられている。カラーチャートＣＣ１およびこれに含まれる色候補Ｃ１〜Ｃ３、ならびに指示部Ａについては、第１実施形態と同様の符号を付し、重複する説明を省略する。
【００４８】
シート２２の一方の面には、第１実施形態と同様のカラーチャートＣＣ２が設けられている。また、シート２２の同じ面には、第１実施形態と同様の状態表示部Ｓが設けられている。カラーチャートＣＣ２およびこれに含まれる色候補Ｃ４〜Ｃ６、ならびに状態表示部Ｓについては、第１実施形態と同様の符号を付し、重複する説明を省略する。
【００４９】
本体部２３には、シート２１がスライド可能なスロット２３０、およびシート２２がスライド可能なスロット２３１が形成されている。
【００５０】
スロット２３０に対応する位置には、指示部Ａを視認するための窓部２３２、および色候補Ｃ１〜Ｃ３のうちの一つを視認するための窓部２３３（枠状部）が形成されている。
【００５１】
スロット２３１に対応する位置には、状態表示部Ｓを視認するための窓部２３４、および色候補Ｃ４〜Ｃ６のうちの一つを視認するための窓部２３５（枠状部）が形成されている。
【００５２】
窓部２３３を指し示す三角形の目印Ｔ１が、本体部２３の表面に形成されている。窓部２３３および目印Ｔ１は、色候補Ｃ１〜Ｃ３のうちのいずれか一つを配置するための基準部を構成する。
【００５３】
窓部２３５を指し示す三角形の目印Ｔ２が、本体部２３の表面に形成されている。窓部２３５および目印Ｔ２は、色候補Ｃ４〜Ｃ６のうちのいずれか一つを配置するための基準部を構成する。
【００５４】
次に体液状態早見表２０の使用例について述べる。
【００５５】
図９に示すように、使用者は、尿中の塩分に反応して尿試験紙Ｐ１の検出部Ｐ１１に現れる色を確認し、色候補Ｃ１〜Ｃ３のうち、その色に最も近い色候補Ｃ１が窓部２３３に表示されるようにシート２１をスライドさせる。
【００５６】
次に、図１０に示すように、使用者は、尿中のクレアチニンに反応して尿試験紙Ｐ１の検出部Ｐ１２に現れる色を確認し、色候補Ｃ４〜Ｃ６のうち、その色に最も近い色候補Ｃ４が窓部２３５に表示されるようにシート２２をスライドさせる。
【００５７】
これらの操作の結果、指示部Ａは、状態表示部Ｓにおける数字の３を指し、体液の状態を指示する。使用者は、この結果を読み取ることによって、臨床上意味のある正確な体液の状態を知ることができる。
【００５８】
本実施形態の作用効果を述べる。
【００５９】
本実施形態の体液状態早見表２０では、窓部２３３、２３５が基準部として設けられており、尿試験紙Ｐ１から得られる色に対応する色が基準部に配置されたか否か分かり易い。このため、体液状態早見表２０は、第１実施形態の効果に加え、所望の色をより正確に基準部に位置合わせできるという効果を奏する。
【００６０】
また、本実施形態では、カラーチャートＣＣ１、ＣＣ２をスライドさせるだけで、色候補Ｃ１〜Ｃ３、Ｃ４〜Ｃ６と基準部（窓部２３３、２３５、目印Ｔ１、Ｔ２）との相対位置が変化する。従って、第１実施形態と同様、簡単に所望の色を基準部に位置合わせできる。
【００６１】
＜変形例１＞
図１１に示すように、変形例１の体液状態早見表３０は、第１実施形態と略同様であるが、第１実施形態のように二種類のカラーチャートではなく、三種類のカラーチャートＣＣ３、ＣＣ４、ＣＣ５を有する点で、第１実施形態と異なる。三種類のカラーチャートＣＣ３、ＣＣ４、ＣＣ５は、それぞれ、体液に含まれる三つの成分の各々に対応して用意される。
【００６２】
本変形例の試験紙Ｐ２は、体液に含まれる所定の三つの成分に反応して変色する三つの検出部Ｐ２１、Ｐ２２、Ｐ２３を有する。検出部Ｐ２１、Ｐ２２、Ｐ２３は、それぞれ異なる成分に反応して変色する。
【００６３】
体液に含まれる三つの成分の組み合わせは、例えば、ヘマトクリット値‐ブドウ糖‐インスリンの組み合わせ、総コレステロール‐ＨＤＬ‐ＬＤＬの組み合わせ等、体液としての血液に含まれる成分の組み合わせが挙げられる。
【００６４】
図１２に示すように、体液状態早見表３０は、互いに重なり合う第１部材３１、第２部材３２、第３部材３３、第４部材３４、および第５部材３５を有する。
【００６５】
第１部材３１は第１実施形態と同一であるため、ここでの説明を省略する。
【００６６】
第２部材３２は、第１実施形態と異なるカラーチャートＣＣ３が設けられる点で第１実施形態の第２部材１２と異なるが、他の構成については第１実施形態の第２部材１２と同様である。
【００６７】
第３部材３３は、第１実施形態と異なるカラーチャートＣＣ４が設けられる点で第１実施形態の第３部材１３と異なる。また、第３部材３３では、第１実施形態の第３部材１３ように指示部Ａが設けられず、三角形の目印である基準部Ｔ２が設けられる。これら以外の他の構成については、第３部材３３は第１実施形態の第３部材１３と同様である。
【００６８】
第４部材３４は、円筒形状の凸部３４０が設けられる点で第１実施形態の第４部材１４と異なる。また、第１実施形態では状態表示部Ｓが１〜５の整数からなる数列によって尿の状態を表すのに対し、第４部材３４に設けられる状態表示部Ｓは、１〜７の整数からなる数列によって尿の状態を表す。これら以外の他の構成については、第４部材３４は第１実施形態の第４部材１４と同様である。
【００６９】
第５部材３５は、第４部材３４上に回転自在に取り付けられる。第５部材３５の外周面には、カラーチャートＣＣ３、ＣＣ４とは別の種類のカラーチャートＣＣ５、および第４部材３４の方向を指し示す指示部Ａが設けられている。第５部材３５における第４部材３４と対向する面には、凸部３４０に嵌合する凹部３５０が形成されている。
【００７０】
次に体液状態早見表３０の使用例について述べる。
【００７１】
まず、使用者は、試験紙Ｐ２の検出部Ｐ２１、Ｐ２２、Ｐ２３に体液をつけ、そのときの検出部Ｐ２１、Ｐ２２、Ｐ２３の色を確認する。
【００７２】
次に、図１３に示すように、使用者は、カラーチャートＣＣ３の色候補Ｃ７〜Ｃ９のうち、検出部Ｐ２１の色に最も近い色候補Ｃ７が基準部Ｔ１に配置されるように、第２部材３２を回転させる。このとき第２部材３２の回転に連動して第４部材３４も回転する。色候補Ｃ７〜Ｃ９は、検出部Ｐ２１に現れうる色を表すカラーパッチである。
【００７３】
次に、図１４に示すように、使用者は、カラーチャートＣＣ４の色候補Ｃ１０〜Ｃ１２のうち、検出部Ｐ２２の色に最も近い色候補Ｃ１２が基準部Ｔ１に配置されるように、第３部材３３を回転させる。色候補Ｃ１０〜Ｃ１２は、検出部Ｐ２２に現れうる色を表すカラーパッチである。
【００７４】
最後に、図１５に示すように、使用者は、カラーチャートＣＣ５の色候補Ｃ１３〜Ｃ１５のうち、検出部Ｐ２３の色に最も近い色候補Ｃ１５が基準部Ｔ２に配置されるように、第５部材３５を回転させる。色候補Ｃ１３〜Ｃ１５は、検出部Ｐ２３に現れうる色を表すカラーパッチである。
【００７５】
これらの操作の結果、指示部Ａは、状態表示部Ｓの数字の７を指し、体液の状態を指示する。使用者は、この結果を読み取ることによって、臨床上意味のある正確な体液の状態を知ることができる。
【００７６】
本変形例の効果を述べる。
【００７７】
本変形例では、三種類のカラーチャートＣＣ３、ＣＣ４、ＣＣ５が用意されている。このため、三種類のカラーチャートＣＣ３、ＣＣ４、ＣＣ５の各々の相対移動にともなって、指示部Ａが指示する体液の状態がより細かく補正される。従って、体液状態早見表３０は、第１実施形態の効果に加え、より正確な体液の状態を知ることができるという効果を奏する。
【００７８】
＜変形例２＞
図１６に示すように、変形例２の体液状態早見表４０は、変形例１と同様、体液に含まれる三つの成分に対応する三種類のカラーチャートＣＣ３、ＣＣ４、ＣＣ５を有する。体液状態早見表４０は、変形例１と同様の試験紙Ｐ２とともに用いられる。体液状態早見表４０は、互いに重なり合う第１部材４１、第２部材４２、第３部材４３、第４部材４４、および第５部材４５を有する。
【００７９】
図１７に示すように、第１部材４１は、第１実施形態の基台１１０と同様の基台４１０と、基台４１０上に設けられた円柱部４１１と、円柱部４１１上に設けられた凸部４１２と、を有する。円柱部４１１は、第２部材４２、第３部材４３、および第４部材４４を貫通する。基台４１０の外周面に、三角形の目印である基準部Ｔ１が設けられている。
【００８０】
第２部材４２は、基台４１０上に回転自在に取り付けられる。第２部材４２には、円柱部４１１が挿通される貫通孔４２０が形成されている。第２部材４２の外周面には、カラーチャートＣＣ３および三角形の目印である基準部Ｔ２が設けられている。
【００８１】
第３部材４３は、第２部材４２上に回転自在に取り付けられる。第３部材４３には、円柱部４１１が挿通される貫通孔４３０が形成されている。第３部材４３の外周面には、カラーチャートＣＣ４および三角形の目印である基準部Ｔ３が設けられている。
【００８２】
第４部材４４は、第３部材４３上に回転自在に取り付けられる。第４部材４４には、円柱部４１１が挿通される貫通孔４４０が形成されている。第４部材４４の外周面には、第５部材４５の方向を指し示す指示部Ａ、およびカラーチャートＣＣ５が設けられている。
【００８３】
第５部材４５は、変形例１と同様の状態表示部Ｓを有する。第５部材４５における第４部材４４と対向する面に、凸部４１２に嵌合する凹部４５０が形成されている。円柱部４１１が貫通孔４２０、４３０、４４０に挿通されると、凸部４１２は凹部４５０に嵌合する。
【００８４】
次に体液状態早見表４０の使用例について述べる。
【００８５】
まず、使用者は、変形例１と同様に、試験紙Ｐ２の検出部Ｐ２１、Ｐ２２、Ｐ２３に体液をつけ、それらの色を確認する。
【００８６】
次に、図１８に示すように、使用者は、カラーチャートＣＣ３の色候補Ｃ７〜Ｃ９のうち、検出部Ｐ２１の色に最も近い色候補Ｃ７が基準部Ｔ１に配置されるように、第２部材４２を回転させる。
【００８７】
次に、図１９に示すように、使用者は、カラーチャートＣＣ４の色候補Ｃ１０〜Ｃ１２のうち、検出部Ｐ２２の色に最も近い色候補Ｃ１０が基準部Ｔ２に配置されるように、第３部材４２を回転させる。
【００８８】
最後に、図２０に示すように、使用者は、カラーチャートＣＣ５のうち、検出部Ｐ２３の色に最も近い色候補Ｃ１３が基準部Ｔ３に配置されるように、第４部材４４を回転させる。
【００８９】
これらの操作の結果、指示部Ａは、状態表示部Ｓの数字の７を指し、体液の状態を指示する。使用者は、この結果を読み取ることによって、臨床上意味のある正確な体液の状態を知ることができる。
【００９０】
本変形例の効果を述べる。
【００９１】
本変形例では、三種類のカラーチャートＣＣ３、ＣＣ４、ＣＣ５が用意されている。このため、三種類のカラーチャートＣＣ３、ＣＣ４、ＣＣ５の各々の相対移動にともなって、指示部Ａが指示する体液の状態がより細かく補正され、体液状態早見表４０は、変形例１と同様の効果を奏する。
【００９２】
＜変形例３＞
図２１に示すように、変形例３の体液状態早見表５０は、第２実施形態と同様のスライド式であるが、第２実施形態のように二種類のカラーチャートＣＣ１、ＣＣ２ではなく、三種類のカラーチャートＣＣ３、ＣＣ４、ＣＣ５を有する点で、第２実施形態と異なる。三種類のカラーチャートＣＣ３、ＣＣ４、ＣＣ５は、変形例１と同様であり、体液状態早見表５０は、変形例１の試験紙Ｐ２とともに用いられる。
【００９３】
体液状態早見表５０は、スライドすることによって移動する長尺状のシート５１、５２、５３と、シート５１、５２、５３が挿入される薄板状の本体部５４と、を有する。
【００９４】
図２２に示すように、本体部５４には、シート５１、５２、５３の各々がスライド可能なスロット５４０、５４１、５４２が形成されている。また、本体部５４には、１〜７の整数からなる数列によって体液の状態を表す状態表示部Ｓ、および三角形の目印である基準部Ｔ１が設けられている。
【００９５】
シート５１の一方の面には、カラーチャートＣＣ３、および三角形の目印である基準部Ｔ２が設けられている。カラーチャートＣＣ３、および基準部Ｔ２は、本体部５４に形成された窓部５４３を通じて視認される。
【００９６】
シート５２の一方の面には、カラーチャートＣＣ４、および三角形の目印である基準部Ｔ３が設けられている。カラーチャートＣＣ４、および基準部Ｔ３は、本体部５４に形成された窓部５４４を通じて視認される。
【００９７】
シート５３の一方の面には、カラーチャートＣＣ５が設けられている。また、シート５３の同じ面には、状態表示部Ｓの一部を指し示すための指示部Ａが設けられている。カラーチャートＣＣ５、および指示部Ａは、本体部５４に形成された窓部５４５を通じて視認される。
【００９８】
次に体液状態早見表５０の使用例について述べる。
【００９９】
図２３に示すように、まず、使用者は、試験紙Ｐ２の検出部Ｐ２１に現れる色を確認し、その後、カラーチャートＣＣ３の色候補Ｃ７〜Ｃ９のうち、検出部Ｐ２１の色に最も近い色候補Ｃ７が基準部Ｔ１に配置されるように、シート５１をスライドさせる。
【０１００】
次に、図２４に示すように、使用者は、カラーチャートＣＣ４の色候補Ｃ１０〜Ｃ１２のうち、検出部Ｐ２２の色に最も近い色候補Ｃ１０が基準部Ｔ２に配置されるように、シート５２をスライドさせる。
【０１０１】
最後に、図２５に示すように、使用者は、カラーチャートＣＣ５の色候補Ｃ１３〜Ｃ１５のうち、検出部Ｐ２３の色に最も近い色候補Ｃ１３が基準部Ｔ３に配置されるように、シート５３をスライドさせる。
【０１０２】
これらの操作の結果、指示部Ａは、状態表示部Ｓの数字の７を指し、体液の状態を指示する。使用者は、この結果を読み取ることによって、臨床上意味のある正確な体液の状態を知ることができる。
【０１０３】
本変形例の効果を述べる。
【０１０４】
本変形例では、三種類のカラーチャートＣＣ３、ＣＣ４、ＣＣ５が用意されている。このため、三種類のカラーチャートＣＣ３、ＣＣ４、ＣＣ５の各々の相対移動にともなって、指示部Ａが指示する体液の状態がより細かく補正される。従って、体液状態早見表５０は、第２実施形態の効果に加え、より正確な体液の状態を知ることができるという効果を奏する。
【０１０５】
本発明は、上述した実施形態および変形例に限定されるものではなく、特許請求の範囲内で種々改変できる。
【０１０６】
例えば、カラーチャートの色候補は、上記実施形態および変形例のようにカラーパッチに限定されず、図２６に示す体液状態早見表６０のカラーチャートＣＣ６、ＣＣ７のように、連続的な色のグラデーションとして表されてもよい。この構成によれば、色候補が細かく表示されるため、使用者は成分から得られる色により近い色を選択してより正確な体液の状態を知ることができる。
【０１０７】
また、例えば図２７に示すように、本発明は、尿試験紙Ｐ１を収納する容器Ｂに体液状態早見表１０が取り付けられた形態を含む。尿試験紙Ｐ１および体液状態早見表１０は、第１実施形態のものである。ここで、第１実施形態の体液状態早見表１０の代わりに、変形例１の体液状態早見表３０または変形例２の体液状態早見表４０を容器Ｂの底に取り付けてもよい。この場合、試験紙Ｐ２が容器Ｂに収納される。あるいは、第２実施形態の体液状態早見表２０または変形例３の体液状態早見表５０を容器Ｂの外周に沿うように湾曲させて取り付けてもよい。容器Ｂに取り付けられるこれらの構成によれば、試験紙を用いた際にすぐに体液状態早見表を参照できるので、利便性が優れる。
【０１０８】
また、基準部および指示部の形状は、上記実施形態および変形例のように三角形または矢印に限定されず、他の図形であってもよく、さらに、文字もしくは数字、またはこれらの組み合わせ等であってもよい。
【０１０９】
また、状態表示部は、上記実施形態および変形例のように数列に限定されず、例えば表情の異なる顔の絵が並んだ図形の列、または文字列等によって体液の状態を段階的に表してもよい。
【０１１０】
また、体液状態の判定に利用される体液の成分の２つの組み合わせは、上記実施形態のように尿に含まれる塩分とクレアチニンとの組み合わせに限定されない。２つの組み合わせは、例えば、微量アルブミン‐クレアチニン、ブドウ糖‐クレアチニン、ビリルビン‐クレアチニン、ウロビリノーゲン‐クレアチニチン、潜血‐クレアチニン、亜硝酸塩‐クレアチニンのような、塩分以外の他の尿中成分とクレアチニンとの組み合わせであってもよい。また、体液に含まれる成分の２つの組み合わせの他の例として、ヘマトクリット値‐ブドウ糖、ブドウ糖‐インスリン、ヘモグロビン‐糖化ヘモグロビン、ＨＤＬ‐ＬＤＬ、過酸化脂質‐脂質のような、全血・血漿成分が挙げられる。
【０１１１】
また、体液成分から得られる色は、試験紙に体液をつけたときにその成分に反応して現れる色に限定されず、体液を直接目視して確認される色であってもよい。例えば、体液として血液を調べる場合、血液を直接目視して赤色の濃淡を確認してもよい。この場合、例えば濃淡の異なる複数の赤色を含むカラーチャートを体液状態早見表に設け、目視によって確認した血液の色とカラーチャートとを比較してもよい。血液の赤色は、主として赤血球と相関関係を有し、血液の濃縮度を判断するための基準となりうる。
【符号の説明】
【０１１２】
１０、２０、３０、４０、５０    体液状態早見表、
１１、３１、４１    第１部材、
１２、３２、４２    第２部材、
１３、３３、４３    第３部材、
１４、３４、４４    第４部材、
３５、４５    第５部材、
２１、２２、５１、５２、５３    シート、
２３、５４    本体部、
２３３、２３５    窓部（枠状部）、
ＣＣ１、ＣＣ２、ＣＣ３、ＣＣ４、ＣＣ５、ＣＣ６、ＣＣ７    カラーチャート、
Ｃ１、Ｃ２、Ｃ３    色候補、
Ｃ４、Ｃ５、Ｃ６    色候補、
Ｃ７、Ｃ８、Ｃ９    色候補、
Ｃ１０、Ｃ１１、Ｃ１２    色候補、
Ｃ１３、Ｃ１４、Ｃ１５    色候補、
Ｔ、Ｔ１、Ｔ２、Ｔ３    基準部、
Ａ    指示部、
Ｓ    状態表示部、
Ｐ１、Ｐ２    試験紙、
Ｐ１１、Ｐ１２、Ｐ２１、Ｐ２２、Ｐ２３    検出部、
Ｂ    容器。
【図１】
2015064253.tif 000003
【図２】
2015064253.tif 000004
【図３】
2015064253.tif 000005
【図４】
2015064253.tif 000006
【図５】
2015064253.tif 000007
【図６】
2015064253.tif 000008
【図７】
2015064253.tif 000009
【図８】
2015064253.tif 000010
【図９】
2015064253.tif 000011
【図１０】
2015064253.tif 000012
【図１１】
2015064253.tif 000013
【図１２】
2015064253.tif 000014
【図１３】
2015064253.tif 000015
【図１４】
2015064253.tif 000016
【図１５】
2015064253.tif 000017
【図１６】
2015064253.tif 000018
【図１７】
2015064253.tif 000019
【図１８】
2015064253.tif 000020
【図１９】
2015064253.tif 000021
【図２０】
2015064253.tif 000022
【図２１】
2015064253.tif 000023
【図２２】
2015064253.tif 000024
【図２３】
2015064253.tif 000025
【図２４】
2015064253.tif 000026
【図２５】
2015064253.tif 000027
【図２６】
2015064253.tif 000028
【図２７】
2015064253.tif 000029